(57)【要約】【課題】  既存の連窓に対して、防火性能を付与する。【解決手段】  支持鋼材と、ロックウール部と、新設竪枠とを備え、既設方立を介して連結される既設竪枠を有する躯体開口部に取り付けられるものであって、支持鋼材は、既設方立の屋外側に配置され、上下が躯体開口部に固定されており、ロックウール部は、支持鋼材の屋外側に支持鋼材を覆うように支持されており、新設竪枠は、既設竪枠の内周側に配置されている。【選択図】図３
2020153164.tif 000002
【特許請求の範囲】
【請求項１】
支持鋼材と、ロックウール部と、新設竪枠とを備え、
既設方立を介して連結される既設竪枠を有する躯体開口部に取り付けられるものであって、
支持鋼材は、既設方立の屋外側に配置され、上下が躯体開口部に固定されており、
ロックウール部は、支持鋼材の屋外側に支持鋼材を覆うように支持されており、
新設竪枠は、既設竪枠の内周側に配置されている防火改修建具。
【発明の詳細な説明】
【技術分野】
【０００１】
建物開口部に配置される連窓に対して、防火性能を備えるように改修する防火改修建具に関する。
【背景技術】
【０００２】
従来、建物開口部に配置される連窓において、左右の窓を連結する連装方立が知られている。
【先行技術文献】
【非特許文献】
【０００３】
【非特許文献１】「ビル建材サッシ総合カタログ  ビル用サッシ」三協立山株式会社  三協アルミ社  ｐ．２−３  ｐ．５３０−５３１
【発明の概要】
【発明が解決しようとする課題】
【０００４】
上記先行技術文献に記載された連窓方立は、防火性能を備えるものではないが、近年、連窓においても防火性能が求められている。
【０００５】
本発明は、既存の連窓に対して、防火性能を付与することを目的とする。
【課題を解決するための手段】
【０００６】
一実施形態は、支持鋼材と、ロックウール部と、新設竪枠とを備え、既設方立を介して連結される既設竪枠を有する躯体開口部に取り付けられるものであって、支持鋼材は、既設方立の屋外側に配置され、上下が躯体開口部に固定されており、ロックウール部は、支持鋼材の屋外側に支持鋼材を覆うように支持されており、新設竪枠は、既設竪枠の内周側に配置されている防火改修建具である。
【発明の効果】
【０００７】
本実施形態の防火改修建具の構成により、既存の連窓に対して防火性能を付与することができる。
【図面の簡単な説明】
【０００８】
【図１】一実施形態に係る防火改修建具により改修される前の連窓の図であり、（ａ）は外観図、（ｂ）は横断面図である。
【図２】一実施形態に係る防火改修建具により改修された連窓の図であり、（ａ）は外観図、（ｂ）は横断面図である。
【図３】第１の実施形態に係る防火改修建具の連窓方立の横断面図である。
【図４】第１の実施形態に係る防火改修建具の竪断面図である。
【図５】第２の実施形態に係る防火改修建具の連窓方立の横断面図である。
【図６】第２の実施形態に係る防火改修建具の竪断面図である。
【図７】第３の実施形態に係る防火改修建具の連窓方立の横断面図である。
【図８】第３の実施形態に係る防火改修建具の竪断面図である。
【図９】第４の実施形態に係る防火改修建具の連窓方立の横断面図である。
【図１０】第４の実施形態に係る防火改修建具の竪断面図である。
【発明を実施するための形態】
【０００９】
本発明の一実施形態は、建物開口部に配置されている既設の連窓建具に対して、既設の方立及び既設の窓枠を撤去することなく、防火性能を備えた連窓建具に改修する防火改修建具である。
【００１０】
本実施形態の防火改修建具によって改修される連窓は、図１（ａ）に示すように、矩形中空形状の既設方立１０の左右に建具Ａ，Ａが配置されており、図１（ｂ）に示すように、既設方立１０に建具Ａ，Ａを構成する既設竪枠２０，２０が固定されている。
【００１１】
既設方立１０は、左右の見込面に屋内側被係合部１０ａ及び屋外側被係合部１０ｂを有しており、左右の既設竪枠２０，２０の屋内側見付壁２０ａ及び屋外側見付壁２０ｂの外周端に形成された係合部が既設方立１０の屋内側被係合部１０ａ及び屋外側被係合部１０ｂに係合されている。
【００１２】
既設方立１０の屋内側見付壁１０ｃに固定部材１０１がビス等の固定手段ｂ１により固定されており、既設方立１０の屋内側被係合部１０ａと固定部材１０１によって左右の既設竪枠２０，２０の屋内側見付壁２０ａの係合部を挟持することで、既設竪枠２０が既設方立１０に固定されている。
固定部材１０１の屋内側には、カバー部材１０２が取り付けられて、既設方立１０と左右の既設竪枠２０，２０の屋内側の係合部分を覆っている。
【００１３】
以上の既設方立１０及び既設竪枠２０を本実施形態の防火改修建具によって改修することで、図２（ａ），（ｂ）に示すように、既設方立１０は防火性能を有する方立５０に改修され、改修された方立５０の左右に防火建具Ｂ，Ｂが新設されることで、全体として防火連窓建具とすることができる。
以下、防火改修建具において、既設方立１０を防火性能を有する方立に改修するための実施形態について、図面を参考に説明する。
【００１４】
−第１の実施形態−
第１の実施形態の防火改修建具の改修方立は、既設方立１０の屋外側に配置されて上下が躯体に固定された支持鋼材６０と、支持鋼材６０の屋外側に配置され、支持鋼材６０に支持されるロックウール部７０を有している。
【００１５】
支持鋼材６０は、スチール等の金属材料からなり、図３，４に示すように、断面が矩形中空形状を有する長尺の部材からなる。
なお、支持鋼材６０は、中実部材であってもよく、また、断面略Ｕ字状もしくはＬ字状等の板材を複数組み合わせることによって中空形状を形成したものであってもよい。
【００１６】
支持鋼材６０は、躯体開口部の上方位置から下方位置にわたる長さ寸法を有しており、上端部が上取付金具６１ａを介して躯体開口部に埋設されたアンカー部材Ｃに固定されているとともに、下端部が下取付金具６１ｂを介して躯体開口部に埋設されたアンカー部材Ｃに固定されている。
なお、アンカー部材Ｃは、既設のアンカー部材を利用してもよいが、支持鋼材６０の取付位置にあわせて新たに設けてもよい。
【００１７】
支持鋼材６０の屋外側には、ロックウール部７０が配置されている。
ロックウール部７０は、既設方立１０に取り付けられた既設竪枠２０，２０の屋外側の見付面を覆うのに十分な幅寸法を有し、支持鋼材６０とほぼ同じ長さ寸法を有する長尺の部材である。
【００１８】
ロックウール部７０は、スチールやアルミ合金等の金属材料からなり、屋内側が開口した断面矩形の枠部材７１と、枠部材７１の内部に充填されるロックウール７２と、スチール等の金属材料からなり、枠部材７１の長さ方向の適宜位置において枠部材７１に取り付けられた固定金具７３を有している。
【００１９】
ルックウール部７０を支持鋼材６０に取り付ける固定金具７３は、枠部材７１がスチールであれば平面視略Ｌ字状の取付部７３ｂ，７３ｂを直接、枠部材７１の長手方向複数位置に取り付ければよいが、枠部材７１がアルミ合金の場合には、枠部材７１の内周にほぼ全長に亘って枠部材支持部７３ａを配置し、枠部材支持部７３ａを介して枠部材７１の長手方向複数位置に取付部７３ｂ，７３ｂを取り付ければよい。
【００２０】
取付部７３ｂ，７３ｂは、見込壁が枠部材７１の屋内側に設けられた開口から屋内側に突出しており、ロックウール部７０は、固定金具７３の取付部７３ｂ，７３ｂが支持鋼材６０の左右の見込壁６０ｂ，６０ｂにネジ等の固定手段ｂ２により固定されることで、支持鋼材６０の屋外側に支持固定されている。
【００２１】
一方、既設竪枠２０，２０の内周には、竪捨枠８０，８０及び竪枠連結金具９１，９１を介して新設竪枠１００，１００が固定されている。
竪捨枠８０，８０は、既設竪枠２０と略同じ見込寸法を有する見込壁８０ａと、見込壁８０ａの屋内側端及び屋外側端から外周方向に延びる屋内側取付壁８０ｂ及び屋外側取付壁８０ｃを有する断面視略Ｕ字状の部材からなる。
【００２２】
竪捨枠８０は、屋内側取付壁８０ｂ及び屋外側取付壁８０ｃが既設竪枠２０の屋内側見付壁２０ａ及び屋外側見付壁２０ｂに図視しないビス等によって固定されることで、既設竪枠２０の内周に固定されている。
【００２３】
竪捨枠８０の見込壁８０ａの内周には、断面視略Ｌ字状の竪枠連結金具９１が配置されている。
竪枠連結金具９１は、見込壁９１ａと、見込壁９１ａの屋外側端が外周側に屈曲して延びる屋外側見付壁９１ｂを有している。
【００２４】
新設竪枠１００は、外周側に複数のリブを有している。新設竪枠１００は、竪枠連結金具９１の内周にスペーサ９００を挟んで配置され、竪捨枠８０及び竪枠連結金具９１に対してビス等の固定手段ｂ３によって連結固定されている。
【００２５】
竪捨枠８０に対して新設竪枠１００とともに連結固定された竪枠連結金具９１の屋外側見付壁９１ｂは、支持鋼材６０の屋内側面に固定された連結金具９１２にビス等の固定手段ｂ４によって固定されており、支持鋼材６０と既設方立１０及び既設竪枠２０が竪枠連結金具９１と竪捨枠８０を介して連結されている。
【００２６】
既設方立１０及び既設竪枠２０の屋内側には、スチールやアルミ合金等の金属材料からなるカバー支持金具９１３が配置されている。
カバー支持金具９１３は、屋内側見付壁９１３ａと、屋内側見付壁９１３ａの左右両端部が屋外側に屈曲してなる見込壁９１３ｂ，９１３ｂを有しており、屋内側見付壁９１３ａが既設方立１０の屋内側面に固定部材１０１及びカバー部材１０２とともにネジ等の固定手段ｂ１により固定されている。
【００２７】
既設方立１０及び左右の既設竪枠２０，２０の屋内側を覆うように、スチールやアルミ合金等の金属材料からなる屋内側カバー９１４が配置されており、屋内側カバー９１４の左右両側がビス等の固定手段ｂ６によりカバー支持金具９１３の見込壁９１３ｂ，９１３ｂに固定されている。
なお、屋内側カバー９１４は、合成樹脂等によって形成されてもよく、屋内側カバー９１４とカバー支持金具９１３は、ビス等の固定手段ｂ６により、新設竪枠１００の見込壁部１００ａに共締め固定されてもよい。
【００２８】
既設方立１０の屋外側に配置された支持鋼材６０の上取付金具６１ａとアンカー部Ｃとの取付け部位及び下取付金具６１ｂとアンカー部Ｃとの取付け部位には、モルタルやロックウール等の耐火性を備える材料Ｄが充填されるとともに、ロックウール部７０と躯体開口部との間には、コーキング材Ｅが充填されている。
また、ロックウール部７０の左右屋内側面と新設竪枠１００，１００の屋外側面との間には、コーキング材Ｅが充填されている。
【００２９】
−第２の実施形態−
第２の実施形態の防火改修建具の改修方立は、新設建具の新設竪枠１００の形状及び配置する位置が、第１の実施形態の防火改修建具と相違している。
以下、図面を参考にして第２の実施形態の防火改修建具について説明するが、第１の実施形態の防火改修建具と同じ構成については、一部説明を省略する。
【００３０】
支持鋼材６０は、スチール等の金属材料からなり、図５，６に示すように、断面が矩形中空形状を有する長尺の部材からなる。第２の実施形態の支持鋼材６０は、第１の実施形態の支持鋼材６０に比べて見込み寸法が若干大きく設定されている。
【００３１】
第２の実施形態の防火改修建具においては、既設竪枠２０，２０の内周に、新設竪枠連結金具９２，９２を介して新設竪枠１００，１００が固定されている。
新設竪枠連結金具９２，９２は、既設竪枠２０，２０に固定される第１連結金具９２１と、新設竪枠１００に固定される第２連結金具９２２からなり、第１連結金具９２１と第２連結金具９２２が連結されることで、既設竪枠２０に対して新設竪枠１００が支持固定されている。
【００３２】
第１連結金具９２１は、既設竪枠２０と略同じ見込寸法を有する屋内側見込壁９２１ａと、屋内側見込壁９２１ａの屋内側端から外周方向に延びる屋内側取付壁９２１ｂと、屋内側見込壁９２１ａの屋外側端から外周方向に延びる屋外側見付壁９２１ｃと、屋外側見付壁９２１ｃの外周側端部が屋外側に屈曲して連続する屋外側見込壁９２１ｄを有している。
【００３３】
第１連結金具９２１は、屋内側取付壁９２１ｂ及び屋外側見付壁９２１ｃが既設竪枠２０の屋内側見付壁２０ａ及び屋外側見付壁２０ｂに図視しないビス等によって固定されることで、既設竪枠２０の内周に固定されていてもよい。
【００３４】
一方、第２連結金具９２２は、見込壁９２２ａと、見込壁９２２ａの屋内側から内周方向に延びる屋内側見付壁９２２ｂと、屋内側見付壁９２２ｂの内周端から屋内方向に延びるカバー体取付部９２２ｃと、見込壁９２２ａの屋外側から外周方向に延びる屋外側見付壁９２２ｄを有している。
【００３５】
第２連結金具９２２は、屋内側見付壁９２２ｂに新設竪枠１００の屋内側見付壁１００ｂがビス等の固定手段ｂ７により固定され、屋外側見付壁９２２ｄが新設竪枠１００の屋内側にビス等の固定手段ｂ８により固定されることで、新設竪枠１００の外周に連結固定されている。
【００３６】
そして、既設竪枠２０の内周に固定された第１連結金具９２１の屋内側見込壁９２１ａと、新設竪枠１００の外周に連結固定された第２連結金具９２２の見込壁９２２ａを合わせてビス等の固定手段ｂ９によって連結することで、新設竪枠１００が既設竪枠２０または支持鋼材６０に支持固定されている。
【００３７】
本実施形態の改修方立においては、既設竪枠２０の内周に固定された第１連結金具９２１の屋外側見込壁９２１ｄが、支持鋼材６０の左右の見込壁６０ｂにビス等の固定手段ｂ１０より連結されている。
また、既設方立１０及び既設竪枠２０，２０の屋内側には、屋内側カバー９２４が配置され、屋内側カバー９２４の左右の見込壁が第２連結金具９２２のカバー体取付部９２２ｃにビス等の固定手段により固定されることで屋内側カバー９２４が既設方立１０及び既設竪枠２０，２０に取り付けられている。
【００３８】
−第３の実施形態−
第３の実施形態の防火改修建具の改修方立は、第１の実施形態の防火改修建具の変形例であり、既設竪枠２０に対する新設竪枠１００の取付構造が異なっている。
以下、図面を参考にして第３の実施形態の防火改修建具について説明するが、第１の実施形態の防火改修建具と同じ構成については、一部説明を省略する。
【００３９】
第３の実施形態の防火改修建具においては、図７，８に示すように、既設竪枠２０，２０の内周に、竪捨枠８０，８０を介して新設竪枠１００，１００が固定されている。また、左右の既設竪枠２０，２０の屋外側見付壁２０ｂ，２０ｂ同士が既設枠連結材９３２によって連結されている。
【００４０】
竪捨枠８０，８０は、第１の実施形態の竪捨枠８０と同様に、既設竪枠２０と略同じ見込寸法を有する見込壁８０ａと、見込壁８０ａの屋内側端及び屋外側端から外周方向に延びる屋内側取付壁８０ｂ及び屋外側取付壁８０ｃを有する断面視略Ｕ字状の部材からなる。
【００４１】
竪捨枠８０は、屋内側取付壁８０ｂ及び屋外側取付壁８０ｃが既設竪枠２０の屋内側見付壁２０ａ及び屋外側見付壁２０ｂに対して図視しないビス等によって固定されることで、既設竪枠２０の内周に固定されている。
【００４２】
竪捨枠８０の見込壁８０ａの内周には、スペーサ９００を挟んで新設竪枠１００が配置されている。
新設竪枠１００は、外周側に複数のリブを有し、竪捨枠８０の見込壁８０ａの内周面にビス等の固定手段ｂ３によって支持固定されている。
【００４３】
既設枠連結材９３２は、見付壁９３２ａと、見付壁９３２ａの左右両端が屋内側に屈曲して延びる見込壁９３２ｂ，９３２ｂと、見込壁９３２ｂ，９３２ｂの屋内側が外周側に屈曲して延びる固定片部９３２ｃ，９３２ｃを有している。
【００４４】
既設枠連結材９３２の見付壁９３２ａは、支持鋼材６０の屋内側見付壁６０ａにビス等の固定手段ｂ１１により固定されており、既設枠連結材９３２の固定片部９３２ｃ，９３２ｃは、既設竪枠２０，２０の屋外側見付壁２０ｂ，２０ｂにビス等の固定手段ｂ１２により固定されている。
【００４５】
既設方立１０及び既設竪枠２０の屋内側には、スチールやアルミ合金等の金属材料からなるカバー支持金具９３３が配置されている。
カバー支持金具９３３は、屋内側見付壁９３３ａと、屋内側見付壁９３３ａの左右両端部が屋外側に屈曲してなる見込壁９３３ｂ，９３３ｂを有しており、屋内側見付壁９３３ａが既設方立１０の屋内側面に固定部材１０１及びカバー部材１０２とともにネジ等の固定手段ｂ１により固定されている。
【００４６】
既設方立１０及び左右の既設竪枠２０，２０の屋内側を覆うように、屋内側カバー９３４が配置されており、屋内側カバー９３４の左右両側がビス等の固定手段ｂ１４によりカバー支持金具９３３の見込壁９３３ｂ，９３３ｂに固定されている。なお、屋内側カバー９３４とカバー支持金具９３３は、ビス等の固定手段ｂ１４により、新設竪枠１００の見込壁部１００ａに共締め固定されてもよい。
【００４７】
−第４の実施形態−
第４の実施形態の防火改修建具の改修方立は、第２の実施形態の防火改修建具の変形例であり、既設竪枠２０に対する新設竪枠１００の取付構造が異なっている。
以下、図面を参考にして第４の実施形態の防火改修建具について説明するが、第２の実施形態の防火改修建具と同じ構成については、一部説明を省略する。
【００４８】
第４の実施形態の防火改修建具においては、既設竪枠２０，２０の内周に、新設竪枠連結金具９４，９４を介して新設竪枠１００，１００が固定されている。
新設竪枠連結金具９４，９４は、既設竪枠２０，２０に固定される第１連結金具９４１と、新設竪枠１００に固定される第２連結金具９４２からなり、第１連結金具９４１と第２連結金具９４２が連結されることで、既設竪枠２０に対して新設竪枠１００が支持固定されている。
【００４９】
第１連結金具９４１は、既設竪枠２０と略同じ見込寸法を有する見込壁９４１ａと、見込壁９４１ａの屋内側端から外周方向に延びる屋内側取付壁９４１ｂと、見込壁９４１ａの屋外側端から外周方向に延びる屋外側見付壁９４１ｃを有している。
【００５０】
第１連結金具９４１は、屋内側取付壁９４１ｂ及び屋外側見付壁９４１ｃが既設竪枠２０の屋内側見付壁２０ａ及び屋外側見付壁２０ｂにビス等の固定手段によって固定されることで、既設竪枠２０の内周に固定されている。
【００５１】
一方、第２連結金具９４２は、第２の実施形態の第２連結金具９２２と同様に、見込壁９４２ａと、見込壁９４２ａの屋内側が内周方向に屈曲して延びる屋内側見付壁９４２ｂと、屋内側見付壁９４２ｂの内周側から屋内側に屈曲して延びるカバー体取付部９４２ｃと、見込壁９４２ａの屋外側が外周側に屈曲して延びる屋外側見付壁部９４２ｄを有している。
【００５２】
第２連結金具９４２は、屋内側見付壁９４２ｂが新設竪枠１００の屋内側見付壁１００ｂにビス等の固定手段ｂ７により固定され、屋外側見付壁部９４２ｄが新設竪枠１００の屋内側にビス等の固定手段により固定されることで、新設竪枠１００の外周に固定されている。
【００５３】
そして、既設竪枠２０の内周に固定された第１連結金具９４１の見込壁９４１ａと、新設竪枠１００の外周に固定された第２連結金具９４２の見込壁９４２ａを合わせてビス等の固定手段ｂ９によって連結されることで、新設竪枠１００が既設竪枠２０に支持固定されている。
【００５４】
また、本実施形態の改修方立においては、既設方立１０の屋外側に支持鋼材連結金具９４３を介して支持鋼材６０が連結されている。
【００５５】
支持鋼材連結金具９４３は、見付壁９４３ａと、見付壁９４３ａの左右両端が屋外側に屈曲して延びる見込壁９４３ｂ，９４３ｂを有している。
【００５６】
支持鋼材連結金具９４３の見付壁９４３ａは、既設方立１０の屋外側壁にビス等の固定手段ｂ１５により固定されており、支持鋼材連結金具９４３の見込壁９４３ｂ，９４３ｂは、支持鋼材６０の見込壁６０ｂにビス等の固定手段ｂ１６により固定されている。
【００５７】
既設方立１０の屋内側には、既設方立１０、左右の既設竪枠２０，２０及び新設竪枠１００の屋内側を覆うように、屋内側カバー９４４が配置されており、屋内側カバー９４４の左右両側がビス等の固定手段によって第２連結金具９４２のカバー体取付部９４２ｃに固定されている。
【００５８】
以上のように、本実施形態の防火改修建具は、既設の連窓の方立及び窓枠を躯体から撤去することなく、防火性能を備えた連窓に改修することができるので、大がかりな工事が必要なく、短い工期で防火改修を行うことができる。
【００５９】
そして、本実施形態の防火改修建具は、支持鋼材及びロックウール部が、既設方立及び既設窓枠とは独立して躯体開口部に固定されることで、既設方立の強度や防火性能に影響されることなく、方立部の屋外側にロックウール部による防火部分を形成することができる。
【００６０】
また、躯体開口部に固定した支持鋼材を既設方立もしくは既設竪枠と連結することで、より強固な方立に改修することができ、改修された強固な方立に新設建具（竪枠）を固定することで、強固な連窓を施工することができる。
【００６１】
なお、本実施形態では、連窓として配置される建具については、引違い窓の例をあげて説明しているが、建具の種類は限定されるものではなく、開き窓であっても、ＦＩＸ窓のいずれもタイプの窓であってもよい。
【００６２】
その他、以上の実施形態は，請求項に記載された発明を限定するものではなく，例示として取り扱われることは言うまでもない。
【符号の説明】
【００６３】
１０      ：既設方立
１０ａ    ：屋内側被係合部
１０ｂ    ：屋外側被係合部
１０ｃ    ：屋内側見付壁
２０      ：既設竪枠
２０ａ    ：屋内側見付壁
２０ｂ    ：屋外側見付壁
６０      ：支持鋼材
６０ａ    ：屋内側見付壁
６０ｂ    ：見込壁
６１ａ    ：上取付金具
６１ｂ    ：下取付金具
７０      ：ロックウール部
７１      ：枠部材
７２      ：ロックウール
７３      ：固定金具
【図１】
2020153164.tif 000003
【図２】
2020153164.tif 000004
【図３】
2020153164.tif 000005
【図４】
2020153164.tif 000006
【図５】
2020153164.tif 000007
【図６】
2020153164.tif 000008
【図７】
2020153164.tif 000009
【図８】
2020153164.tif 000010
【図９】
2020153164.tif 000011
【図１０】
2020153164.tif 000012